【手続補正書】
【提出日】平成26年11月4日(2014.11.4)
【手続補正１】
【補正対象書類名】明細書
【補正対象項目名】０００５
【補正方法】変更
【補正の内容】
【０００５】
本発明の目的を達成するために、例えば、本発明の情報処理装置は、電子書籍を構成する各ページのうちページ指定指示によって指定されたページを表示する表示手段と、
音声出力指示が入力されると、該入力の時点で前記表示手段が表示しているページを音声出力ページとし、該音声出力ページ中の各文字に対応する音声を、該文字の並び順に従って順次出力する音声出力手段と、
前記音声出力手段が前記音声出力ページにおいて音声出力を開始する先頭文字を、前記音声出力ページ中の文字に基づいて決定し、前記音声出力手段に、前記先頭文字以降の文字に対応する音声を、前記並び順に従って順次出力させる制御手段と
を備えることを特徴とする。
【手続補正２】
【補正対象書類名】明細書
【補正対象項目名】００６７
【補正方法】変更
【補正の内容】
【００６７】
ステップＳ２７００では、音声出力位置制御部２０５は、遷移後ページに強調文章（特定の種別の文章の一例）が含まれているか否かを判断する。この判断の結果、含まれている場合は、処理はステップＳ２７０１に進み、含まれていない場合は、処理はステップＳ２００５に進む。例えば、タッチパネル画面１０２に図２８に示す画面が表示されている場合、同画面中の文章には強調文章である「１章の重要ポイント」が含まれている。この場合は、ステップＳ２７０１の処理を行う。強調文章の情報は、SMILの記述情報から取得できる。
【手続補正３】
【補正対象書類名】明細書
【補正対象項目名】００９６
【補正方法】変更
【補正の内容】
【００９６】
ステップＳ１３０２では、音声出力位置制御部２０５は、音声出力位置記憶部２０８に格納されている音声出力位置が、該音声出力位置が属する文章の前半に位置しているのか否かを判断する。この判断の結果、前半に位置している場合には、処理はステップＳ１３０３に進み、後半に位置している場合には、処理はステップＳ１３０５に進む。ステップＳ１３０２における処理の詳細については、図１４を用いて後述する。
【手続補正４】
【補正対象書類名】明細書
【補正対象項目名】００９７
【補正方法】変更
【補正の内容】
【００９７】
ステップＳ１３０３では、音声出力位置制御部２０５は、音声出力位置記憶部２０８に格納されている音声出力位置が属する文章を特定する。そしてステップＳ１３０４では音声出力部２０３は、ページＮにおいてこの特定した文章中の文字の並び順において先頭文字以降に並んでいる文字の音声波形データに基づく音声信号を、スピーカ１０３に供給する。
【手続補正５】
【補正対象書類名】明細書
【補正対象項目名】００９８
【補正方法】変更
【補正の内容】
【００９８】
ステップＳ１３０５では、音声出力位置制御部２０５は、音声出力位置記憶部２０８に格納されている音声出力位置が属する文章の次の文章を特定する。そしてステップＳ１３０４では音声出力部２０３は、ページＮにおいてこの特定した文章中の文字の並び順において先頭文字以降に並んでいる文字の音声波形データに基づく音声信号を、スピーカ１０３に供給する。
【手続補正６】
【補正対象書類名】明細書
【補正対象項目名】０１０２
【補正方法】変更
【補正の内容】
【０１０２】
ステップＳ１４０１では、音声出力位置制御部２０５は、音声出力位置記憶部２０８に格納されている音声出力位置が属する文章を特定する。
【手続補正７】
【補正対象書類名】明細書
【補正対象項目名】０１０３
【補正方法】変更
【補正の内容】
【０１０３】
ステップＳ１４０２では、音声出力位置制御部２０５は、ステップＳ１４０１で特定した文章の先頭文字から音声出力位置までの文字数Ｘを計数する。ステップＳ１４０３では、音声出力位置制御部２０５は、ステップＳ１４０１で特定した文章の文末文字から音声出力位置までの文字数Ｙを計数する。
【手続補正８】
【補正対象書類名】明細書
【補正対象項目名】０１０４
【補正方法】変更
【補正の内容】
【０１０４】
ステップＳ１４０４では、音声出力位置制御部２０５は、Ｘ＞Ｙであるか否かを判断する。この判断の結果、Ｘ＞Ｙであれば、処理はステップＳ１４０６に進み、Ｘ≦Ｙであれば、処理はステップＳ１４０５に進む。
【手続補正９】
【補正対象書類名】明細書
【補正対象項目名】０１０５
【補正方法】変更
【補正の内容】
【０１０５】
ステップＳ１４０５では、音声出力位置制御部２０５は、音声出力位置は前半に位置していると判断し、ステップＳ１４０６では、音声出力位置制御部２０５は、音声出力位置は後半に位置していると判断する。
【手続補正１０】
【補正対象書類名】明細書
【補正対象項目名】０１１６
【補正方法】変更
【補正の内容】
【０１１６】
［第５の実施形態］
図２，２９に示した各部は何れもハードウェアで構成しても良いが、例えば、音声出力位置記憶部２０８をメモリで構成し、それ以外の各部をソフトウェア（コンピュータプログラム）で構成しても良い。このような場合に、情報処理装置１０１，２３００に適用可能なコンピュータのハードウェア構成例について、図３のブロック図を用いて説明する。
【手続補正１１】
【補正対象書類名】明細書
【補正対象項目名】０１２０
【補正方法】変更
【補正の内容】
【０１２０】
外部メモリ３０８には、ＯＳ（オペレーティングシステム）や、上記の各実施形態で説明した各種の処理をＣＰＵ３０１に実行させるためのコンピュータプログラムやデータが保存されている。このコンピュータプログラムは、図２，２９において音声出力位置記憶部２０８を除く各部に相当するコンピュータプログラムを含む。また、このデータは、電子書籍コンテンツのデータや、上記の処理で既知のものとして説明したデータを含む。
【手続補正１２】
【補正対象書類名】明細書
【補正対象項目名】０１２２
【補正方法】変更
【補正の内容】
【０１２２】
なお、図２，２９に示した機能構成を有する情報処理装置は、図３に示した構成を有する１台のコンピュータで実装しても良いが、複数台の装置によってこの情報処理装置を構成するようにしても良い。
【手続補正１３】
【補正対象書類名】明細書
【補正対象項目名】０１２３
【補正方法】変更
【補正の内容】
【０１２３】
なお、図２，２９に示した各部を全部ハードウェア／ソフトウェアで構成せずに、一部をハードウェア／ソフトウェアで構成するようにしても良い。この場合であっても、このソフトウェアはメモリに格納し、このソフトウェアは、ＣＰＵ３０１により実行される。
【手続補正１４】
【補正対象書類名】特許請求の範囲
【補正対象項目名】全文
【補正方法】変更
【補正の内容】
【特許請求の範囲】
【請求項１】
電子書籍を構成する各ページのうちページ指定指示によって指定されたページを表示する表示手段と、
音声出力指示が入力されると、該入力の時点で前記表示手段が表示しているページを音声出力ページとし、該音声出力ページ中の各文字に対応する音声を、該文字の並び順に従って順次出力する音声出力手段と、
前記音声出力手段が前記音声出力ページにおいて音声出力を開始する先頭文字を、前記音声出力ページ中の文字に基づいて決定し、前記音声出力手段に、前記先頭文字以降の文字に対応する音声を、前記並び順に従って順次出力させる制御手段と
を備えることを特徴とする情報処理装置。
【請求項２】
更に、
前記音声出力手段が前記音声出力ページについて音声を出力している期間内でページ指定指示が入力されるたびに、該入力されたページ指定指示によって指定されたページが前記表示手段で表示された連続時間を計時する計時手段を備え、
前記制御手段は、
前記計時手段が計時した連続時間が規定時間以上となったページが前記音声出力ページである場合、前記期間内で最初にページ指定指示が入力された時点で前記音声出力手段が音声を出力していた文字を最後文字とし、前記音声出力手段に、前記並び順において該最後文字の次の文字の付近に位置する文字以降の各文字に対応する音声を、前記並び順に従って順次出力させる
ことを特徴とする請求項１に記載の情報処理装置。
【請求項３】
前記制御手段は、前記連続時間が規定時間以上となったページが、前記音声出力ページよりもページ番号が大きい後続ページである場合、前記音声出力手段に、前記後続ページにおける先頭文字以降の各文字に対応する音声を、該文字の並び順に従って順次出力させることを特徴とする請求項２に記載の情報処理装置。
【請求項４】
前記制御手段は、前記連続時間が規定時間以上となったページが、前記音声出力ページよりもページ番号が小さい先ページである場合、前記音声出力ページ中の最後文字を含む文章から名詞を特定し、該特定した名詞を含む文章を該先ページから特定し、前記音声出力手段に、該特定した文章における先頭文字以降の各文字に対応する音声を、該文字の並び順に従って順次出力させることを特徴とする請求項２又は３に記載の情報処理装置。
【請求項５】
前記制御手段は、前記連続時間が規定時間以上となったページが、前記音声出力ページよりもページ番号が小さい先ページである場合、前記音声出力ページ中の最後文字を含む文章から名詞を特定し、該特定した名詞を含むタイトルを該先ページから特定し、前記音声出力手段に、該特定したタイトルにおける先頭文字以降の各文字に対応する音声を、該文字の並び順に従って順次出力させることを特徴とする請求項２又は３に記載の情報処理装置。
【請求項６】
前記制御手段は、前記連続時間が規定時間以上となったページが、前記音声出力ページよりもページ番号が小さい先ページである場合、前記音声出力手段に、該先ページ内の特定の種別の文章の先頭文字以降の各文字に対応する音声を、該文字の並び順に従って順次出力させることを特徴とする請求項２又は３に記載の情報処理装置。
【請求項７】
前記制御手段は更に、
前記期間内で最初にページ指定指示が入力されたことを検知したタイミングから、前記連続時間が規定時間以上となったタイミングまでのタイミング間の長さを求め、
前記連続時間が規定時間以上となったページが前記音声出力ページであり、且つ前記長さが第１の閾値よりも短い場合は、前記音声出力手段に、前記音声出力ページ中の最後文字の次の文字以降の各文字に対応する音声を、該文字の並び順に従って順次出力させ、
前記連続時間が規定時間以上となったページが前記音声出力ページであり、且つ前記長さが前記第１の閾値よりも長い場合は、前記音声出力手段に、前記音声出力ページにおける先頭文字以降の各文字に対応する音声を、該文字の並び順に従って順次出力させる、若しくは前記音声出力手段に、前記音声出力ページにおいて最後文字を含む段落の文章における先頭文字以降の各文字に対応する音声を、該文字の並び順に従って順次出力させる
ことを特徴とする請求項２乃至６の何れか１項に記載の情報処理装置。
【請求項８】
更に、前記タイミング間でページ指定指示が入力された回数を用いて前記第１の閾値を設定する手段を備えることを特徴とする請求項７に記載の情報処理装置。
【請求項９】
情報処理装置が行う情報処理方法であって、
前記情報処理装置の表示手段が、電子書籍を構成する各ページのうちページ指定指示によって指定されたページを表示する表示工程と、
前記情報処理装置の音声出力手段が、音声出力指示が入力されると、該入力の時点で前記表示工程で表示しているページを音声出力ページとし、該音声出力ページ中の各文字に対応する音声を、該文字の並び順に従って順次出力する音声出力工程と、
前記情報処理装置の制御手段が、前記音声出力工程で前記音声出力ページにおいて音声出力を開始する先頭文字を、前記音声出力ページ中の文字に基づいて決定し、前記音声出力工程で、前記先頭文字以降の文字に対応する音声を、前記並び順に従って順次出力させる制御工程と
を備えることを特徴とする情報処理方法。
【請求項１０】
更に、
前記情報処理装置の計時手段が、前記音声出力工程で前記音声出力ページについて音声を出力している期間内でページ指定指示が入力されるたびに、該入力されたページ指定指示によって指定されたページが前記表示工程で表示された連続時間を計時する計時工程を備え、
前記制御工程では、
前記計時工程で計時した連続時間が規定時間以上となったページが前記音声出力ページである場合、前記期間内で最初にページ指定指示が入力された時点で前記音声出力工程で音声を出力していた文字を最後文字とし、前記音声出力工程で、前記並び順において該最後文字の次の文字の付近に位置する文字以降の各文字に対応する音声を、前記並び順に従って順次出力させる
ことを特徴とする請求項９に記載の情報処理方法。
【請求項１１】
コンピュータを、請求項１乃至８の何れか１項に記載の情報処理装置の各手段として機能させるためのコンピュータプログラム。
【手続補正１５】
【補正対象書類名】図面
【補正対象項目名】図１４
【補正方法】変更
【補正の内容】
【図１４】
2013097627.tif 000001
【手続補正１６】
【補正対象書類名】図面
【補正対象項目名】図１５
【補正方法】変更
【補正の内容】
【図１５】
2013097627.tif 000002